(57)【要約】      （修正有）【課題】隣接する遊技機間の空間を有効に利用でき、かつテーブルを収納することができる遊技機用収納装置を提供する。【解決手段】遊技機用収納装置は、隣接する遊技機間の隙間に配置され、前面に開口部を有し後方に箱状の収納部を有する本体部材と、開口部に出し入れ自在に設けられたテーブルとを備え、テーブルは、収納部に設けられており、収納部の表裏方向かつ水平面方向に伸長する固定レール部材と、固定レール部材にスライド自在に装着された第１のスライド部材と、第１のスライド部材にスライド自在に装着された第２のスライド部材と、一方の側縁が第２のスライド部材の移動方向に沿って伸長する回動軸を介して第２のスライド部材に装着され、回動軸を中心に水平面方向及び水平面方向に対して垂直する方向の間で回動可能に構成されたテーブル本体とを備える。【選択図】図１
2019170637.tif 000002
【特許請求の範囲】
【請求項１】
隣接する遊技機間の隙間に配置され、前面に開口部を有し後方に箱状の収納部を有する本体部材と、前記開口部に出し入れ自在に設けられたテーブルと、前記開口部の近傍に設けられた充電用ＵＳＢポートとを備え、
前記テーブルは、
前記収納部に設けられており、該収納部の表裏方向かつ水平面方向に伸長する固定レール部材と、
前記開口部を介して前記固定レール部材の伸長方向に移動可能であり、該固定レール部材にスライド自在に装着された第１のスライド部材と、
前記開口部を介して前記固定レール部材の伸長方向に移動可能であり、前記第１のスライド部材にスライド自在に装着された第２のスライド部材と、
一方の側縁が前記第２のスライド部材の移動方向に沿って伸長する回動軸を介して前記第２のスライド部材に装着されており、遊技を行う遊技者の身の回り品を載せるためのテーブル本体とを備え、
前記テーブル本体は、前記回動軸を中心に水平面方向及び水平面方向に対して垂直する方向の間で回動可能に構成されていることを特徴とする遊技機用収納装置。
【請求項２】
前記テーブル本体の他方の側縁に近い位置で前記テーブル本体を下から支持する支持機構をさらに備えていることを特徴とする請求項１に記載の遊技機用収納装置。
【請求項３】
前記支持機構は、一端が回動軸を介して水平面方向及び水平面方向に対して垂直する方向の間で回動可能に前記遊技機の膳板の遊技者側端部に設けられた支持部材本体と、該支持部材本体の他端に螺合され、支持高さを調整するための高さ調整部材とを有することを特徴とする請求項２に記載の遊技機用収納装置。
【請求項４】
前記テーブル本体には、飲料容器を挿嵌可能な穴が設けられていることを特徴とする請求項１から３のいずれか１項に記載の遊技機用収納装置。
【請求項５】
前記本体部材には、飲料容器を収納する飲料容器収納部をさらに備えていることを特徴とする請求項１から４のいずれか１項に記載の遊技機用収納装置。
【請求項６】
遊技機本体と、隣接する該遊技機本体間の隙間に設けられた、請求項１から５のいずれか１項に記載の遊技機用収納装置とを備えたことを特徴とする遊技機。
【請求項７】
前記本体部材に、説明書を収容するカードホルダが配置されていることを特徴とする請求項６に記載の遊技機。
【発明の詳細な説明】
【技術分野】
【０００１】
本発明は、隣接する遊技機台間の隙間に配置され、例えば、財布、鍵、眼鏡、タバコ、ライター及び／又は携帯電話を含む小物等の物品を載せるためのテーブル等を収納することができる遊技機用収納装置に関する。
【背景技術】
【０００２】
遊技場においては、一般に、遊技機を設置するための設置ユニットに多数の遊技機（例えば、パチンコ台、スロット台及び／又はパチスロ台等）が互いに並列に設置されており、これら互いに隣接する遊技機の間には、台間の隙間を覆うパネルが設置されている。
【０００３】
互いに隣接する遊技機間の空間を有効に利用するために、例えばこのパネルの上部に遊技機の遊技内容に関する説明書を収容する収容部（カードホルダ）が設けられることがある。また、この空間をさらに有効に利用するため、本出願人は、このパネルに設置される折畳み可能なカップホルダを提案している（例えば、特許文献１）。
【０００４】
また、遊技機の下方前面部に設けられた棚部に設置され、遊技者の身の回り品を載置するためのテーブル構造を提案されている（例えば、特許文献２）。
【０００５】
特許文献２に記載のテーブル構造は、遊技機の下方前面部に設けられた棚部に取り付けられるものであり、棚部の遊技者側端部に固定されるフレーム部と、フレーム部に、スライドして引出及び収納可能に装着され、非使用時における棚部下方における収納位置と使用時における棚部前方における引出位置との間で配置姿勢を変更可能に形成されたテーブル部とを備える。
【先行技術文献】
【特許文献】
【０００６】
【特許文献１】特許第４１８３２７３号公報
【特許文献２】特開２０１４−２１７５６９号公報
【発明の概要】
【発明が解決しようとする課題】
【０００７】
隣接する遊技機の間に設置されるこの種のパネルには、前述したカードホルダやカップホルダを設置したとしても、さらに利用可能なスペースが存在するが、現状では、このスペースが有効に利用されていない。
【０００８】
また、遊技場に来場した顧客は、財布、鍵、眼鏡、タバコ、ライター及び／又は携帯電話を含む小物等の物品を持参していること多く、遊技中にこれらの物品を手元に置いておく場所が切望されていた。特に、遊技中に携帯電話を充電することができる場所が切望されていた。
【０００９】
さらに、特許文献２に記載のテーブル構造は、遊技機の下方前面部に設けられた棚部（膳板）に取り付けられるため、遊技者が着席、離席時に邪魔になるという問題点があった。
【００１０】
従って、本発明の目的は、このような状況に鑑みてなされたものであって、隣接する遊技機間の空間を有効に利用でき、かつ遊技者が着席、離席時に邪魔にならない、携帯電話を含む小物等の物品を載置するテーブルを収納することができる多機能な遊技機用収納装置を提供することにある。
【００１１】
本発明の他の目的は、遊技中に携帯電話をテーブルに載置すると共に、携帯電話を充電することができる多機能な遊技機用収納装置を提供することにある。
【課題を解決するための手段】
【００１２】
本発明によれば、隣接する遊技機間の隙間に配置された遊技機用収納装置は、前面に開口部を有し後方に箱状の収納部を有する本体部材と、開口部に出し入れ自在に設けられたテーブルと、開口部の近傍に設けられた充電用ＵＳＢポートとを備え、テーブルは、収納部に設けられており、収納部の表裏方向かつ水平面方向に伸長する固定レール部材と、開口部を介して固定レール部材の伸長方向に移動可能であり、固定レール部材にスライド自在に装着された第１のスライド部材と、開口部を介して固定レール部材の伸長方向に移動可能であり、第１のスライド部材にスライド自在に装着された第２のスライド部材と、一方の側縁が第２のスライド部材の移動方向に沿って伸長する回動軸を介して第２のスライド部材に装着されており、遊技を行う遊技者の身の回り品を載せるためのテーブル本体とを備え、テーブル本体は、回動軸を中心に水平面方向及び水平面方向に対して垂直する方向の間で回動可能に構成されている。
【００１３】
このような遊技機用収納装置によれば、開口部に出し入れ自在に設けられたテーブルと、開口部の近傍に設けられた充電用ＵＳＢポートとを備えることにより、隣接する遊技機間の空間を有効に利用でき、かつ遊技者が着席、離席時に邪魔にならない、携帯電話等の身の回り品をテーブルに載置することができ、また、遊技中に携帯電話をテーブルに載置すると共に、充電用ＵＳＢポートから携帯電話を充電することができるため、遊技中に着信等を容易に確認することができる。さらに、テーブルは、二段階の引き出し構造により、充分な引き出し長さを確保することができる。
【００１４】
テーブル本体の他方の側縁に近い位置でテーブル本体を下から支持する支持機構をさらに備えていることが好ましい。このような支持機構を設けることによって、テーブルの安定性及び耐荷重を向上することができる。
【００１５】
支持機構は、一端が回動軸を介して水平面方向及び水平面方向に対して垂直する方向の間で回動可能に遊技機の膳板の遊技者側端部に設けられた支持部材本体と、この支持部材本体の他端に螺合され、支持高さを調整するための高さ調整部材とを有することも好ましい。このような支持機構を設けることによって、テーブルの安定性及び耐荷重を向上すると共に、支持高さを調整することができる。
【００１６】
テーブル本体には、飲料容器を挿嵌可能な穴が設けられていることも好ましい。これにより、飲料容器を確実に保持することができ、遊技中に飲料容器が倒れるのを防止することができる。
【００１７】
本体部材には、飲料容器を収納する開口部をさらに備えていることが好ましい。このように飲料容器を収納する飲料容器収納部を設けることによって、飲料容器が遊技を邪魔することを回避できる。
【００１８】
本発明によれば、さらに、遊技機本体と、隣接する該遊技機本体間の隙間に設けられた、上述した本発明の遊技機用収納装置とを備えた遊技機が提供される。
【００１９】
本体部材に、説明書を収容するカードホルダが配置されていることが好ましい。
【発明の効果】
【００２０】
本発明によれば、隣接する遊技機間の幅狭の空間（例えば、幅４０〜１５０ｍｍ程度の空間）を有効に利用でき、かつ遊技者が着席、離席時に邪魔にならない、携帯電話等の物品をテーブルに載置することができる。また、遊技中に携帯電話を目の前のテーブルに載置すると共に、充電用ＵＳＢポートから携帯電話を充電することができるため、遊技中に着信等を容易に確認することができる。さらに、テーブルは、二段階の引き出し構造により、充分な引き出し長さを確保することができる。
【図面の簡単な説明】
【００２１】
【図１】本発明の第１の実施形態における遊技機用収納装置の構成を概略的に示す斜視図である。
【図２】図１の実施形態における遊技機用収納装置の構成を概略的に示す正面図及び側面図である。
【図３】図１の実施形態における遊技機用収納装置のテーブルの収納状態及び使用状態を示す図である。
【図４】本発明の第２の実施形態における遊技機用収納装置の構成を概略的に示す斜視図である。
【図５】図４の実施形態における遊技機用収納装置の構成を概略的に示す正面図及び側面図である。
【発明を実施するための形態】
【００２２】
以下、本発明に係る遊技機用収納装置及びこの遊技機用収納装置を備えた遊技機に関する実施形態を、図を参照して説明する。
【００２３】
図１〜３は本発明の第１の実施形態における遊技機用収納装置１００の全体構成を示している。図１は、隣接する遊技機本体Ｐ遊技機用収納装置１００を備えた遊技機の一例を示している。ただし、図１は遊技機用収納装置１００のテーブル２０の使用状態を示している。図２（ａ）は遊技機用収納装置１００の正面を示しており、（ｂ）は遊技機用収納装置１００の側面を示しており、同図において、テーブル２０の引き出した状態を示しており、図中の二点鎖線は、テーブル２０の収納状態を示している。図３（ａ）はテーブル２０の収納状態を上から見た図であり、（ｂ）はテーブル２０の使用状態を上から見た図であり、（ｃ）はテーブル２０の使用状態を前面から見た図である。
【００２４】
図１〜３に示すように、本実施形態における遊技機用収納装置１００は、隣接する遊技機本体Ｐ、例えばパチンコ台、の台間隙間（例えば、隙間幅４０ｍｍ）を塞ぐためのものであり、隣接する遊技機本体Ｐ間の隙間に配置され、前面に開口部１１を有し後方に箱状の収納部１２を有する本体部材１０と、開口部１１に出し入れ自在に設けられたテーブル２０と、開口部１１の近傍に設けられた充電用ＵＳＢポート３０と、テーブル２０のテーブル本体２５を下から支持する支持機構４０とを備えている。また、図２及び図３に示すように、テーブル２０は、収納状態において、その一部が遊技機用収納装置１００の前面から露出している。
【００２５】
本体部材１０は、図１及び図２に示すように、前面に形成された開口部１１と、開口部１１に連続して後方に形成された箱状の収納部１２とを有している。この本体部材１０は、隣接する遊技機本体Ｐ、例えばパチンコ台、の台間隙間（例えば、隙間幅４０ｍｍ）を塞ぐために、比較的に狭い幅４０ｍｍを有している。また、本体部材１０は、収納部１２の上方に小物を収納する小物収納部１３と、説明書を収容するカードホルダ１４とが設けられている。
【００２６】
テーブル２０は、開口部１１に出し入れ自在に設けられたものであり、収納部１２の底面に設けられており、収納部１２の表裏方向かつ水平面方向に伸長する固定レール部材２１と、開口部１１を介して固定レール部材２１の伸長方向に移動可能であり、固定レール部材２１にスライド自在に装着された第１のスライド部材２２と、開口部１１を介して固定レール部材２１の伸長方向に移動可能であり、第１のスライド部材２２にスライド自在に装着された第２のスライド部材２３と、一方の側縁が第２のスライド部材２３の移動方向に沿って伸長する回動軸２４を介して第２のスライド部材２３に装着されており、遊技を行う遊技者の携帯電話等の身の回り品を載せるためのテーブル本体２５とを備えている。また、テーブル２０は、収納状態において、その一部が遊技機用収納装置１００の前面から露出している。これにより、テーブル２０の大きさを確保することができると共に、引き出し時に露出部を掴むことで引き出しが容易にできる。
【００２７】
固定レール部材２１は、所定長さを有する角柱状部材であり、上面にスライド溝が形成されている。この固定レール部材２１の表側と裏側の端面には、これらの端面を覆う端面部材が設けられている。端面部材は、それぞれストッパ機能を有し、第１のスライド部材２２の縁端が当接することで、第１のスライド部材２２のスライド動作を規制する。第１のスライド部材２２は、上面と下面には、幅広頭部を有する凸形状の軸断面を有しており、固定レール部材２１及び第２のスライド部材２３のスライド溝に嵌合するように構成されている。第２のスライド部材２３は、所定長さを有する角柱状部材であり、下面にスライド溝が形成されている。この第２のスライド部材２３の表側と裏側の端面には、これらの端面を覆う端面部材が設けられている。端面部材は、それぞれストッパ機能を有し、第１のスライド部材２２の縁端が当接することで、第２のスライド部材２３のスライド動作を規制する。回動軸２４は、例えば、１対の蝶番を用いている。テーブル本体２５は、回動軸２４を中心に水平面方向及び水平面方向に対して垂直する方向の間で回動可能に構成されている。また、テーブル本体２５は、飲料容器Ｃを挿嵌可能な穴２５ａが設けられている。そのため、飲料容器Ｃを確実に保持することができ、遊技中に飲料容器Ｃが倒れるのを防止することができる。さらに、テーブル本体２５は、携帯電話Ｍ及び他の小物（身の回り品）を載せることができる。
【００２８】
充電用ＵＳＢポート３０は、ＵＳＢケーブルや小型のＵＳＢ機器のプラグを挿入・接続する差込口であり、本実施形態において、充電用ＵＳＢポート３０は、主に遊技者が携帯電話Ｍを充電するためのものである。この充電用ＵＳＢポート３０は、テーブル本体２５に置かれた携帯電話Ｍを充電できるように、開口部１１の近傍に設けられている。
【００２９】
支持機構４０は、図３に示すように、テーブル本体２５の他方の側縁に近い位置でテーブル本体２５を下から支持するものである。この支持機構４０は、支持部材本体４１と、回動軸４２と、取り付け部材４３と、支持高さを調整するための高さ調整部材４４とを備えている。支持部材本体４１は、一端が回動軸４２を介して水平面方向及び水平面方向に対して垂直する方向の間で回動可能に遊技機の膳板Ｔの遊技者側端部に設けられている。高さ調整部材４４は、例えば、ネジ部を有し、支持部材本体４１の他端に螺合され、螺入位置によって支持高さを調整することができる。なお、支持機構４０の構成は、図示のものに限定されるものではない。
【００３０】
以上説明したように、本実施形態によれば、遊技機用収納装置１００は、隣接する遊技機本体Ｐ間の隙間に配置され、前面に開口部１１を有し後方に箱状の収納部１２を有する本体部材１０と、開口部１１に出し入れ自在に設けられたテーブル２０と、開口部１１の近傍に設けられた充電用ＵＳＢポート３０と、テーブル２０のテーブル本体２５を下から支持する支持機構４０とを備えている。
【００３１】
これにより、隣接する遊技機本体Ｐ間の空間を有効に利用でき、かつ遊技者が着席、離席時に邪魔にならない、携帯電話Ｍを含む小物等の物品をテーブル２０に載置することができる。また、遊技中に携帯電話Ｍをテーブル２０に載置すると共に、充電用ＵＳＢポート３０から携帯電話Ｍを充電することができるため、遊技中に着信等を容易に確認することができる。さらに、テーブル２０は、二段階の引き出し構造により、充分な引き出し長さを確保することができる。
【００３２】
また、支持機構４０を設けることによって、使用時におけるテーブル２０の安定性及び耐荷重を向上することができる。
【００３３】
また、テーブル本体２５には、飲料容器Ｃを挿嵌可能な穴が設けられていることで、カップホルダとしても機能し、飲料容器Ｃを確実に保持することができ、遊技中に飲料容器Ｃが倒れるのを防止することができる。
【００３４】
図４及び図５は本発明の第２の実施形態における遊技機用収納装置２００の全体構成を示している。図４は隣接する遊技機本体Ｐ遊技機用収納装置２００を備えた遊技機の一例を示している。ただし、図４は遊技機用収納装置２００のテーブル２０の使用状態を示している。図５（ａ）は遊技機用収納装置２００の正面を示しており、（ｂ）は遊技機用収納装置２００の側面を示しており、同図において、テーブル２０の引き出した状態を示しており、図中の二点鎖線は、テーブル２０の収納状態を示している。また、図５に示すように、テーブル２０は、収納状態において、その一部が遊技機用収納装置２００の前面から露出している。
【００３５】
図４及び図５に示すように、本実施形態における遊技機用収納装置２００は、隣接する遊技機本体Ｐ、例えばパチンコ台、の台間隙間（例えば、隙間幅１５０ｍｍ）を塞ぐためのものであり、隣接する遊技機本体Ｐ間の隙間に配置され、前面に開口部１１を有し後方に箱状の収納部１２を有する本体部材１０Ａと、開口部１１に出し入れ自在に設けられたテーブル２０と、開口部１１の近傍に設けられた充電用ＵＳＢポート３０と、テーブル２０のテーブル本体２５を下から支持する支持機構４０と、飲料容器Ｄを収納する飲料容器収納部５０とを備えている。遊技機用収納装置２００において、テーブル２０の構成は、上述した第１の実施形態と同様な構成を有しているため、ここで、詳細な説明を省略する。また、充電用ＵＳＢポート３０は、配置位置（飲料容器収納部５０の下方）が上述した第１の実施形態と異なるのみ、基本的な構成は同じである。支持機構４０の構成も、上述した第１の実施形態と同様な構成を有しているため、ここで、詳細な説明を省略する。
【００３６】
本体部材１０Ａは、隣接する遊技機本体Ｐ、例えばパチンコ台、の台間隙間（例えば、隙間幅１５０ｍｍ）を塞ぐために、比較的に広い幅１５０ｍｍを有しており、テーブル２０を収納する収納部１２と並列に飲料容器Ｄを収納する飲料容器収納部５０が設けられている。この飲料容器収納部５０は、ペットボトル等飲料容器Ｄを縦置きできる高さを有している。また、飲料容器収納部５０には、飲料容器Ｄの転倒を防止するために、カップホルダを設けても良い。また、本体部材１０Ａは、収納部１２の上方に小物を収納する小物収納部１３Ａと、説明書を収容するカードホルダ１４と、多目的収納部１５とが設けられている。また、本実施形態において、充電用ＵＳＢポート３０は、飲料容器収納部５０の下方に配置されているが、本発明は、これに限定されるものではない。
【００３７】
なお、上述した実施形態において、本体部材１０及び１０Ａの幅がそれぞれ４０ｍｍ及び１５０ｍｍである例について説明したが、本発明はこれに限定されるものではない。
【００３８】
また、上述した実施形態において、テーブル本体２５には、飲料容器Ｃを挿嵌可能な穴２５ａが設けられている構成について説明したが、本発明はこれに限定されるものではない。テーブル本体２５に飲料容器Ｃを挿嵌可能な穴２５ａを設けなくても良い。
【００３９】
さらに、上述した実施形態において、遊技機用収納装置１００及び２００は、隣接するパチンコ台の間の空間に設置する例を説明したが、本発明はこれに限定されるものではない。例えばスロット台やパチスロ台等の他の遊技機の間の空間に設置するようにしてもよい。また、本発明の遊技機用収納装置１００及び２００を、遊技機以外の互いに並設された機器の間の空間に設置する収納装置に適用してもよいし、隣接する機器の間ではなく、比較的に幅狭の空間に設置する収納装置に適用してもよい。
【産業上の利用可能性】
【００４０】
本発明は、隣接する遊技機間の空間を有効に利用し、より便利に遊技を楽しむ環境を提供する目的に利用できる。
【符号の説明】
【００４１】
１０  本体部材
１１  開口部
１２  収納部
１３  小物収納部
１４  カードホルダ
１５  多目的収納部
２０  テーブル
２１  固定レール部材
２２  第１のスライド部材
２３  第２のスライド部材
２４  回動軸
２５  テーブル本体
２５ａ  穴
３０  充電用ＵＳＢポート
４０  支持機構
４１  支持部材本体
４２  回動軸
４３  取り付け部材
４４  高さ調整部材
５０  飲料容器収納部
１００、２００  遊技機用収納装置
Ｃ、Ｄ  飲料容器
Ｍ  携帯電話
Ｐ  遊技機本体（パチンコ台）
Ｔ  膳板
【図１】
2019170637.tif 000003
【図２】
2019170637.tif 000004
【図３】
2019170637.tif 000005
【図４】
2019170637.tif 000006
【図５】
2019170637.tif 000007